【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
距離ｄ１に沿って直線的に配置されたインダクション・コイルのＮ個の区分を有し、前記コイルがそれらの長さに沿ってインダクタンスおよび抵抗を示すコイル・アセンブリと、
ｄ１よりも短い長さｄ２の磁石アセンブリと、
前記磁石アセンブリを前記直線的に配置されたインダクション・コイルに沿ってかつその上を通過させる一方で、前記磁石アセンブリと前記コイルとの間に小さい空隙を維持するための手段であって、特定のコイル区分上での前記磁石アセンブリの通過が、その特定のコイル区分を励起させ、それがその特定の区分内のコイルの両端に電圧を作り出すような手段と、
前記通過する磁石アセンブリに起因して発生する前記コイルの両端の電圧に対応する電圧を間に作り出すための第１および第２の出力点と、
前記通過する磁石アセンブリに近接したコイルの区分だけを前記第１と第２の出力点の間に選択的に連結するために、前記コイルと前記第１および第２の出力点との間に連結されたスイッチ手段とを有するリニア発電機（ＬＥＧ）。
【請求項２】
前記スイッチ手段がＮ個の選択的に有効化されるスイッチを、１つのコイル当たり１つのスイッチ有し、各々のスイッチがそのコイル区分の両端に接続されることで、前記磁石アセンブリに近接していないときにその対応するコイル区分を選択的に短絡させ、前記スイッチが、オンに切り換えられるかまたは閉にされると極めて低いインピーダンスを示し、オフに切り換えられるかまたは開にされると高いインピーダンスを示し、負荷が前記第１と第２の出力点の間に連結され、励起されたコイルが、前記スイッチ手段によって供給される低インピーダンス経路を介して前記第１および第２の出力点と前記負荷との間に連結される、請求項１に記載のＬＥＧ。
【請求項３】
前記磁石アセンブリに近接した前記コイル区分に対応する前記スイッチが、前記磁石アセンブリに近接した前記コイル区分の両端に電圧が生じることを可能にするために開にされ、前記磁石アセンブリに近接していない前記コイル区分に関連する前記スイッチがそれらの対応するコイル区分を短絡させ、同時に、電圧を作り出す前記選択された励起されたコイルのための経路を設けるために閉にされる、請求項２に記載のＬＥＧ。
【請求項４】
前記Ｎ個のコイル区分が前記第１と第２の出力点の間で端と端で接続される、請求項２に記載のＬＥＧ。
【請求項５】
前記スイッチ手段が、前記磁石アセンブリに近接した選択されたコイルだけが前記第１および第２の出力点に連結されることを可能にするように、前記スイッチのオンオフ切り換えを制御する信号を作り出すために、前記コイル区分との相対的な前記磁石アセンブリの位置と方向のうちの少なくとも１つを感知するための手段を有する、請求項４に記載のＬＥＧ。
【請求項６】
前記スイッチ手段が、前記磁石アセンブリに近接した選択されたコイルだけが前記第１と第２の出力点の間に連結されることを可能にするように、前記磁石アセンブリへの近さに応じて前記コイルの両端に誘導される電圧を感知するため、および前記スイッチのオンオフ切り換えを制御する信号を作り出すために前記コイル区分の両端に連結された電圧感知手段を有する、請求項５に記載のＬＥＧ。
【請求項７】
前記スイッチ手段が、前記コイル区分の両端に接続された、選択された短絡用スイッチにオン切り換え信号を加えるために前記電圧感知手段へと連結されたスイッチ制御回路を有し、各々のスイッチがスイッチ制御回路によって制御され、各々のスイッチ制御回路が今度は他方で電圧感知回路によって制御される、請求項６に記載のＬＥＧ。
【請求項８】
各々のコイル区分の両端に接続されたスイッチが有り、各々のスイッチがスイッチ制御回路によって制御され、各々のスイッチ制御回路が、前記スイッチを選択的にオンに切り換えることでそれに対応するコイル区分を短絡させるため、またはコイル区分に関連するスイッチをオフに維持することで電圧が前記コイル区分の両端で生じ、かつ前記第１と第２の出力点の間に結合させられることを可能にするために制御論理モジュールへと連結される、請求項５に記載のＬＥＧ。
【請求項９】
前記スイッチ手段が、（ａ）前記コイル・アセンブリとの相対的な前記磁石アセンブリの位置、（ｂ）前記コイル・アセンブリとの相対的な前記磁石アセンブリの方向、および（ｃ）コイル電圧感知回路の出力のうちの少なくとも１つに関連する信号を前記制御論理モジュールへと供給するための感知手段を有する、請求項８に記載のＬＥＧ。
【請求項１０】
前記Ｎ個の選択的に有効化されるスイッチの各々がシリコン制御整流器（ＳＣＲ）、トライアック、リレー接点、トリガ式ソリッドステート・スイッチ、ラッチ・スイッチ、および非ラッチ・スイッチのうちの１つである、請求項２に記載のＬＥＧ。
【請求項１１】
前記コイル・アセンブリとの相対的な前記磁石アセンブリの位置を感知するための位置感知用コイルが、前記コイル・アセンブリとの相対的な前記磁石アセンブリの位置に関連する信号を供給することによって、前記スイッチ手段を制御し、かつ前記磁石アセンブリに近接した前記コイルの両端に生じた電圧だけが前記第１の点と第２の点の間に結合させられることを可能にするためにインダクション・コイルの前記Ｎ個の区分に沿って配置される、請求項１に記載のＬＥＧ。
【請求項１２】
前記磁石アセンブリの位置を感知するため、および前記スイッチ手段を制御し、かつ前記磁石アセンブリに近接した前記コイルの両端に生じた電圧だけが前記第１の点と第２の点の間に結合させられることを可能にするための信号を供給するために、発光素子が前記磁石アセンブリと前記コイル区分のうちの一方に取り付けられ、光センサが前記磁石アセンブリと前記コイル区分のうちの他方に接続される、請求項１に記載のＬＥＧ。
【請求項１３】
前記磁石アセンブリの位置を感知するため、および前記スイッチ手段を制御し、かつ前記磁石アセンブリに近接した前記コイルの両端に生じた電圧だけが前記第１の点と第２の点の間に結合させられることを可能にするための信号を供給するために、光学的光感知手段が前記コイルに沿って配置され、それに対応する発光手段が前記磁石アセンブリ上に配置される、請求項１に記載のＬＥＧ。
【請求項１４】
コイルの前記Ｎ個の区分が前記第１と第２の出力点の間で端と端で接続され、前記スイッチ手段が、コイルの前記Ｎ個の区分の各々の両端に接続された選択的に有効化／無効化されるスイッチを含む、請求項１に記載のＬＥＧ。
【請求項１５】
コイルの各々の区分が第１および第２の端子を有し、前記スイッチ手段が（ａ）各々の前記コイル区分の前記第１の端子と前記第１の出力点との間に接続された選択的に有効化されるスイッチの第１のセット、および（ｂ）各々の前記コイル区分の前記第２の端子と前記第２の出力点との間に接続された選択的に有効化されるスイッチの第２のセットを含む、請求項１に記載のＬＥＧ。
【請求項１６】
前記磁石アセンブリに近接した選択されたコイルが選択的に有効化されるスイッチを介して前記第１のセットから前記第１の出力点へと連結され、対応する選択的に有効化されるスイッチを介して前記第２のセットから前記第２の出力点へと連結される、請求項１５に記載のＬＥＧ。
【請求項１７】
前記磁石アセンブリに近接しない、選択されないコイルが開回路にされ、前記磁石アセンブリに近接した前記選択されたコイルが前記第１のセットからのスイッチおよび前記第２のセットからのスイッチを介して前記第１と第２の出力点の間に直列に接続される、請求項１６に記載のＬＥＧ。
【請求項１８】
前記磁石アセンブリを前記コイルに沿ってかつその上を通過させるための前記手段が、水域に置かれることを意図された波力エネルギー変換器（ＷＥＣ）のフロートと支柱のうちの一方に沿って前記コイルを配置する工程を含み、前記磁石アセンブリが前記フロートと支柱のうちの他方に取り付けられ、前記フロートと支柱が互いに相対的に移動することが可能であり、かつ前記波力エネルギー変換器（ＷＥＣ）の一部である、請求項１に記載のＬＥＧ。
【請求項１９】
前記磁石アセンブリを前記コイルに沿ってかつその上を通過させるための前記手段が、フロートと支柱のうちの一方に沿って前記コイルを配置する工程を含み、前記磁石アセンブリが以下、すなわち（ａ）前記コイルが静止型にされ、前記磁石アセンブリが前記コイルに対して相対的に上下に移動すること、（ｂ）前記磁石アセンブリが静止型にされ、前記コイルが前記磁石アセンブリに対して相対的に上下に移動すること、および（ｃ）前記磁石アセンブリと前記コイルが互いに相対的に移動することのうちの少なくとも１つを可能にするために前記フロートと支柱のうちの他方に取り付けられる、請求項１に記載のＬＥＧ。
【請求項２０】
距離ｄ１で支持構造に沿って延びるインダクション・コイルのＮ個の区分を有し、前記コイルがそれらの長さに沿ってインダクタンスおよび抵抗を示すコイル・アセンブリと、
ｄ１よりも短い長さｄ２の永久磁石アセンブリ（ＰＭＡ）と、
前記ＰＭＡを前記インダクション・コイルに沿ってかつその上を通過させる一方で、前記磁石と前記コイルとの間に小さい空隙を維持するための手段であって、コイル区分上での前記ＰＭＡの通過が、そのコイル区分を励起させ、それがそのコイル区分内の前記コイルの両端に電圧を作り出すような手段と、
前記コイルに連結されたスイッチ手段であって、前記通過するＰＭＡに近接したコイルの選択された区分だけを前記選択されたスイッチ手段を介して第１と第２の出力点の間に選択的に連結するための手段とを有する組合せ。
【請求項２１】
負荷が前記第１と第２の出力点の間に接続され、前記選択されたコイル区分が前記負荷の両端に電圧を作り出す、請求項２０に記載の組合せ。
【請求項２２】
前記スイッチ手段がＮ個の選択的に有効化される短絡用スイッチを、１つのコイル当たり１つのスイッチ有し、各々のスイッチが、それに対応するコイル区分を選択的に短絡させるために対応するコイル区分の両端に接続される、請求項２１に記載の組合せ。
【請求項２３】
前記ＰＭＡに近接した前記コイルの両端に接続された前記短絡用スイッチが開にされ、前記ＰＭＡに近接していない前記コイルの間にある前記短絡用スイッチが、それらに対応するコイル区分を短絡させるために閉にされる、請求項２２に記載の組合せ。
【請求項２４】
前記磁石アセンブリを前記コイルに沿ってかつその上を通過させるための前記手段が、波力エネルギー変換器（ＷＥＣ）のフロートと支柱のうちの一方に沿って前記コイルを配置する工程を含み、前記磁石アセンブリが前記ＷＥＣの前記フロートと支柱のうちの他方に取り付けられ、前記フロートと支柱が互いに相対的に移動することが可能である、請求項２０に記載の組合せ。
【請求項２５】
各々のコイル区分が第１および第２の端子を有し、各々のコイル端子が第１の選択的に有効化されるスイッチを介して前記第１の出力点へと連結され、かつ第２の選択的に有効化されるスイッチを介して前記第２の出力点へと連結されることで、各々の端子が前記第１の出力点と第２の出力点のうちの一方へと選択的に連結されることを可能にする、請求項２０に記載の組合せ。
【請求項２６】
選択されたコイル区分が選択的に有効化されるスイッチを介して前記第１と第２の出力点の間に連結され、選択されないコイル区分が、それらの第１の端子と第２の端子のうちの少なくとも一方を前記第１と第２の出力点のうちの一方から外すことによって前記第１および第２の出力点から外される、請求項２５に記載の組合せ。
【請求項２７】
前記Ｎ個のコイル区分が、タップ引き出しされたコイル構造を規定する、請求項２０に記載の組合せ。
【請求項２８】
前記Ｎ個のコイル区分が、分節化されたコイル構造を規定する、請求項２０に記載の組合せ。
【請求項２９】
前記スイッチ手段が、選択された活性のコイルを前記第１と第２の出力点の間で選択的に直列に連結し、選択されない不活性のコイルを前記第１および第２の出力点から外すためのスイッチを含み、それにより、前記選択されないコイルが開回路にされる、請求項２０に記載の組合せ。
【請求項３０】
前記Ｎ個のインダクション・コイルの各々が第１および第２の端子を有し、隣り合うコイルが共通の端子を共有し、一方のコイルの前記第２の端子が隣りのコイルの前記第１の端子と共通であり、それにより、インダクション・コイルの前記Ｎ個の区分が前記第１と第２の出力点の間で物理的かつ電気的に直列に接続される、請求項２０に記載の組合せ。
【請求項３１】
前記スイッチ手段がコイルの前記Ｎ個の区分へと接続されることを可能にするために、前記第１と第２の出力点の間に形成されたＮ−１個のタップが有る、請求項３０に記載の組合せ。
【請求項３２】
前記スイッチ手段が、前記第１と第２の出力点の間の前記コイル区分の連結を制御するために位置と方向のうちの少なくとも一方を感知する手段を有する、請求項２０に記載の組合せ。
【請求項３３】
距離ｄ１で支持構造に沿って延びるインダクション・コイルのＮ個の区分を有し、前記コイルがそれらの長さに沿ってインダクタンスおよび抵抗を示すコイル・アセンブリと、
長さｄ２の永久磁石アセンブリ（ＰＭＡ）と、
前記ＰＭＡを前記インダクション・コイルに沿ってかつその上を通過させる一方で前記磁石と前記コイルとの間に小さい空隙を維持するための手段であって、コイル区分上での前記ＰＭＡの通過が、そのコイル区分を励起させ、それがそのコイル区分内の前記コイルの両端に電圧を作り出すような手段と、
前記コイルに連結されたスイッチ手段であって、前記通過するＰＭＡに近接したコイルの選択された区分だけを前記選択されたスイッチ手段を介して第１と第２の出力点の間に選択的に連結するための手段とを有する組合せ。